(57)【要約】    【課題】  ユーザにより使用環境に応じて定着器の加熱条件を容易に変更することができる複合機を提供する。    【解決手段】  電源投入時に立ち上げる機能として、コピー、プリンタ、ファクシミリ受信のいずれかの機能が設定されている場合、これらの機能に対しては、プリンタ部１１１によるプリント動作が必要であるのでプリンタ部１１１の定着器２１７の加熱すなわちヒータ３０２へ電力供給が開始され、定着器２１７の温度が定着温度まで立ち上げられる（ステップＳ１０５〜Ｓ１０８）。これに対し、電源投入時に立ち上げる機能として、ファクシミリ送信、ネットワークデータ送受信のいずれかの機能が設定されている場合、これらの機能に対しては、プリンタ部１１１によるプリント動作が必要でないので、プリンタ部１１１の定着器２１７の定着温度までの加熱すなわち電力供給が行われない（ステップＳ１０５〜ステップＳ１０８）。【選択図】      図５
2005156624.tif 000002
【特許請求の範囲】
【請求項１】
定着器を含むプリント手段によるプリント動作を必要とする機能および該プリント動作を不要とする機能を有する複合機であって、
所定装置状態から立ち上げる機能が前記プリント動作を必要とする機能であるか否かを判定する判定手段と、
前記所定装置状態から立ち上げる機能が前記プリント動作を必要とする機能であると、前記プリント手段の前記定着器の加熱を開始するように制御する制御手段と
を備えることを特徴とする複合機。
【請求項２】
前記所定装置状態は、装置電源オフ状態であることを特徴とする請求項１記載の複合機。
【請求項３】
前記所定装置状態は、装置休止状態であることを特徴とする請求項１記載の複合機。
【請求項４】
前記所定装置状態から立ち上げる機能を設定する設定手段を備えることを特徴とする請求項１ないし３のいずれか１つに記載の複合機。
【請求項５】
定着器を含むプリント手段によるプリント動作を必要とする機能および該プリント動作を不要とする機能を有する複合機であって、
機能を選択する機能選択手段と、
前記機能選択手段により選択された機能が前記プリント動作を必要とする機能であるか否かを判定する判定手段と、
前記機能選択手段により選択された機能が前記プリント動作を必要とする機能であると、前記プリント手段の前記定着器の加熱を開始するように制御する制御手段と
を備えることを特徴とする複合機。
【請求項６】
電子写真方式を用いた画像形成装置であって、
用紙上に形成された現像剤像を該用紙上に定着させるための定着器と、
前記定着器に対して設定可能な複数の予熱温度と、前記定着器の温度がそれぞれの予熱温度から定着温度に到達するまでに要する複数の予測時間とを記憶する記憶手段と、
前記複数の予熱温度と前記複数の予測時間とを対応付けて表示する表示手段と、
ユーザの入力操作に応じて、前記複数の予熱温度の中から１つの予熱温度を選択して設定する予熱温度選択手段と、
ユーザの入力操作に応じて、動作終了から休止状態へ移行するまでの移行時間を設定する時間設定手段と、
前記設定された予熱時間と前記設定された移行時間とを用いた制御を行う制御手段と
を備えることを特徴とする画像形成装置。
【請求項７】
定着器を含むプリント手段およびファクシミリ受信手段を有する画像形成装置であって、
所定時間帯中、装置状態を休止状態に保持する状態保持手段と、
前記ファクシミリ受信手段により前記装置状態が休止状態に保持されている所定時間帯中に受信されたデータを前記プリント手段によりプリント出力するタイミングを設定するタイミング設定手段と、
前記設定されたタイミングで前記定着器の加熱を開始するように制御する制御手段と
を備えることを特徴とする画像形成装置。
【請求項８】
定着器を含むプリント手段および外部装置から送出された印刷データを受信する印刷データ受信手段を有する画像形成装置であって、
所定時間帯中、装置状態を休止状態に保持する状態保持手段と、
前記印刷データ受信手段により前記装置状態が休止状態に保持されている所定時間帯中に受信された印刷データを、前記プリント手段によりプリント出力するタイミングを設定するタイミング設定手段と、
前記設定されたタイミングで前記定着器の加熱を開始するように制御する制御手段と
を備えることを特徴とする画像形成装置。
【請求項９】
定着器を含むプリント手段によるプリント動作を必要とする機能および該プリント動作を不要とする機能を有する複合機の制御方法であって、
所定装置状態から立ち上げる機能が前記プリント動作を必要とする機能であるか否かを判定する判定工程と、
前記所定装置状態から立ち上げる機能が前記プリント動作を必要とする機能であると、前記プリント手段の前記定着器の加熱を開始するように制御する制御工程と
を備えることを特徴とする複合機の制御方法。
【請求項１０】
前記所定装置状態は、装置電源オフ状態であることを特徴とする請求項９記載の複合機の制御方法。
【請求項１１】
前記所定装置状態は、装置休止状態であることを特徴とする請求項９記載の複合機の制御方法。
【請求項１２】
前記所定装置状態から立ち上げる機能を設定する設定工程を備えることを特徴とする請求項９ないし１１のいずれか１つに記載の複合機の制御方法。
【請求項１３】
定着器を含むプリント手段によるプリント動作を必要とする機能および該プリント動作を不要とする機能を有する複合機の制御方法であって、
機能を選択する機能選択工程と、
前記選択された機能が前記プリント動作を必要とする機能であるか否かを判定する判定工程と、
前記選択された機能が前記プリント動作を必要とする機能であると、前記プリント手段の前記定着器の加熱を開始するように制御する制御工程と
を備えることを特徴とする複合機の制御方法。
【請求項１４】
用紙上に形成された現像剤像を該用紙上に定着させるための定着器を備える画像形成装置の制御方法であって、
前記定着器に対して設定可能な複数の予熱温度と、前記定着器の温度がそれぞれの予熱温度から定着温度に到達するまでに要する複数の予測時間とを対応付けて表示手段に表示する表示工程と、
ユーザの入力操作に応じて、前記複数の予熱温度の中から１つの予熱温度を選択して設定する予熱温度選択工程と、
ユーザの入力操作に応じて、動作終了から休止状態へ移行するまでの移行時間を設定する時間設定工程と、
前記設定された予熱温度および前記設定された移行時間を用いた制御を行う制御工程と
を備えることを特徴とする画像形成装置の制御方法。
【請求項１５】
定着器を含むプリント手段およびファクシミリ受信手段を有する画像形成装置の制御方法であって、
所定時間帯中、装置状態を休止状態に保持する状態保持工程と、
前記ファクシミリ受信手段により前記装置状態が休止状態に保持されている所定時間帯中に受信されたデータを、前記プリント手段によりプリント出力するタイミングを設定するタイミング設定工程と、
前記設定されたタイミングで前記定着器の加熱を開始するように制御する制御工程と
を備えることを特徴とする画像形成装置の制御方法。
【請求項１６】
定着器を含むプリント手段および外部装置から送出された印刷データを受信する印刷データ受信手段を有する画像形成装置の制御方法であって、
所定時間帯中、装置状態を休止状態に保持する状態保持工程と、
前記印刷データ受信手段により前記装置状態が休止状態に保持されている所定時間帯中に受信された印刷データを、前記プリント手段によりプリント出力するタイミングを設定するタイミング設定工程と、
前記設定されたタイミングで前記定着器の加熱を開始するように制御する制御工程と
を備えることを特徴とする画像形成装置の制御方法。
【請求項１７】
定着器を含むプリント手段によるプリント動作を必要とする機能および該プリント動作を不要とする機能を有する複合機を制御するためのプログラムであって、
所定装置状態から立ち上げる機能が前記プリント動作を必要とする機能であるか否かを判定する判定モジュールと、
前記所定装置状態から立ち上げる機能が前記プリント動作を必要とする機能であると、前記プリント手段の前記定着器の加熱を開始するように制御する制御モジュールと
を備えることを特徴とするプログラム。
【請求項１８】
定着器を含むプリント手段によるプリント動作を必要とする機能および該プリント動作を不要とする機能を有する複合機を制御するためのプログラムであって、
機能を選択する機能選択モジュールと、
前記機能選択モジュールにより選択された機能が前記プリント動作を必要とする機能であるか否かを判定する判定モジュールと、
前記機能選択モジュールにより選択された機能が前記プリント動作を必要とする機能であると、前記プリント手段の前記定着器の加熱を開始するように制御する制御モジュールと
を備えることを特徴とするプログラム。
【請求項１９】
用紙上に形成された現像剤像を該用紙上に定着させるための定着器を備える画像形成装置を制御するためのプログラムであって、
前記定着器に対して設定可能な複数の予熱温度と、前記定着器の温度がそれぞれの予熱温度から定着温度に到達するまでに要する複数の予測時間とを対応付けて表示手段に表示する表示モジュールと、
ユーザの入力操作に応じて、前記複数の予熱温度の中から１つの予熱温度を選択して設定する予熱温度選択モジュールと、
ユーザの入力操作に応じて、動作終了から休止状態へ移行するまでの移行時間を設定する時間設定モジュールと、
前記設定された予熱温度および前記設定された移行時間を用いた制御を行う制御モジュールと
を備えることを特徴とするプログラム。
【請求項２０】
定着器を含むプリント手段およびファクシミリ受信手段を有する画像形成装置を制御するためのプログラムであって、
所定時間帯中、装置状態を休止状態に保持する状態保持モジュールと、
前記ファクシミリ受信手段により前記装置状態が休止状態に保持されている所定時間帯中に受信されたデータを、前記プリント手段によりプリント出力するタイミングを設定するタイミング設定モジュールと、
前記設定されたタイミングで前記定着器の加熱を開始するように制御する制御モジュールと
を備えることを特徴とするプログラム。
【請求項２１】
定着器を含むプリント手段および外部装置から送出された印刷データを受信する印刷データ受信手段を有する画像形成装置の制御方法であって、
所定時間帯中、装置状態を休止状態に保持する状態保持モジュールと、
前記印刷データ受信手段により前記装置状態が休止状態に保持されている所定時間帯中に受信された印刷データを、前記プリント手段によりプリント出力するタイミングを設定するタイミング設定モジュールと、
前記設定されたタイミングで前記定着器の加熱を開始するように制御する制御モジュールと
を備えることを特徴とするプログラム。
【請求項２２】
請求項１７記載のプログラムをコンピュータ読取可能に格納したことを特徴とする記憶媒体。
【請求項２３】
請求項１８記載のプログラムをコンピュータ読取可能に格納したことを特徴とする記憶媒体。
【請求項２４】
請求項１９記載のプログラムをコンピュータ読取可能に格納したことを特徴とする記憶媒体。
【請求項２５】
請求項２０記載のプログラムをコンピュータ読取可能に格納したことを特徴とする記憶媒体。
【請求項２６】
請求項２１記載のプログラムをコンピュータ読取可能に格納したことを特徴とする記憶媒体。
【発明の詳細な説明】
【技術分野】
【０００１】
本発明は、定着器を備える複合機、画像形成装置、複合機の制御方法、画像形成装置の制御方法、プログラムおよび記憶媒体に関する。
【背景技術】
【０００２】
従来、電子写真方式で用紙上に画像形成を行うレーザビームプリンタなどの画像形成装置においては、定着器が設けられている。定着器は、ヒータを有し、このヒータの熱を利用して定着温度で用紙上のトナー像を加熱することにより、トナー像を用紙上に定着させるものである。
【０００３】
このような定着器を有する画像形成装置においては、電源が投入されるとほぼ同時に、定着器の加熱が開始され、定着器の温度が定着温度まで上げられる。また、画像形成の終了後から一定時間が経過すると、装置状態が休止状態へ移行され、この休止状態においては、定着器の温度が定着温度より低い所定温度まで下げられて保持される。これにより、休止状態における消費電力の低減が図られている。この休止状態から復帰するときには、同様に定着器の加熱が開始され、定着器の温度が定着温度まで上げられる（例えば、特許文献１を参照）。
【０００４】
また、コピー、プリンタなどの機能に加えてファクシミリ機能、データ送受信機能など、複数の機能を有するデジタル複合機においても、定着器に対して、上述したと同様の制御が行われる。
【特許文献１】特開平７−２５１５５０号公報
【発明の開示】
【発明が解決しようとする課題】
【０００５】
しかしながら、複合機において、電源投入時または休止状態からの復帰時に立ち上げる機能が例えばファクシミリ送信やデータ送信などの場合、この機能は画像形成動作を必要としないにも拘らず、定着器の温度が定着温度まで到達するように定着器の加熱が行われるので、無駄な電力が消費されることになる。特に、熱量が大きい定着器を使用している場合、無駄に消費される電力がさらに増すことになる。
【０００６】
このような無駄な電力消費を極力少なくするためには、個々の装置の使用環境例えば主に使用する機能の種類または各機能の使用頻度に応じて、装置毎に定着器の加熱条件を変えることが必要であるが、装置毎に定着器の加熱条件を変えることは、現状では容易にできない。
【０００７】
本発明の目的は、ユーザにより使用環境に応じて定着器の加熱条件を容易に変更することができる複合機、画像形成装置、複合機の制御方法、画像形成装置の制御方法、プログラムおよび記憶媒体を提供することにある。
【課題を解決するための手段】
【０００８】
本発明は、上記目的を達成するため、定着器を含むプリント手段によるプリント動作を必要とする機能および該プリント動作を不要とする機能を有する複合機であって、所定装置状態から立ち上げる機能が前記プリント動作を必要とする機能であるか否かを判定する判定手段と、前記所定装置状態から立ち上げる機能が前記プリント動作を必要とする機能であると、前記プリント手段の前記定着器の加熱を開始するように制御する制御手段と
を備えることを特徴とする。
【０００９】
本発明は、上記目的を達成するため、定着器を含むプリント手段によるプリント動作を必要とする機能および該プリント動作を不要とする機能を有する複合機であって、機能を選択する機能選択手段と、前記機能選択手段により選択された機能が前記プリント動作を必要とする機能であるか否かを判定する判定手段と、前記機能選択手段により選択された機能が前記プリント動作を必要とする機能であると、前記プリント手段の前記定着器の加熱を開始するように制御する制御手段とを備えることを特徴とする。
【００１０】
本発明は、上記目的を達成するため、電子写真方式を用いた画像形成装置であって、用紙上に形成された現像剤像を該用紙上に定着させるための定着器と、前記定着器に対して設定可能な複数の予熱温度と、前記定着器の温度がそれぞれの予熱温度から定着温度に到達するまでに要する複数の予測時間とを記憶する記憶手段と、前記複数の予熱温度と前記複数の予測時間とを対応付けて表示する表示手段と、ユーザの入力操作に応じて、前記複数の予熱温度の中から１つの予熱温度を選択して設定する予熱温度選択手段と、ユーザの入力操作に応じて、動作終了から休止状態へ移行するまでの移行時間を設定する時間設定手段と、前記設定された予熱時間と前記設定された移行時間とを用いた制御を行う制御手段とを備えることを特徴とする。
【００１１】
本発明は、上記目的を達成するため、定着器を含むプリント手段およびファクシミリ受信手段を有する画像形成装置であって、所定時間帯中、装置状態を休止状態に保持する状態保持手段と、前記ファクシミリ受信手段により前記装置状態が休止状態に保持されている所定時間帯中に受信されたデータを、前記プリント手段によりプリント出力するタイミングを設定するタイミング設定手段と、前記設定されたタイミングで前記定着器の加熱を開始するように制御する制御手段とを備えることを特徴とする。
【００１２】
本発明は、上記目的を達成するため、定着器を含むプリント手段および外部装置から送出された印刷データを受信する印刷データ受信手段を有する画像形成装置であって、所定時間帯中、装置状態を休止状態に保持する状態保持手段と、前記印刷データ受信手段により前記装置状態が休止状態に保持されている所定時間帯中に受信された印刷データを、前記プリント手段によりプリント出力するタイミングを設定するタイミング設定手段と、前記設定されたタイミングで前記定着器の加熱を開始するように制御する制御手段とを備えることを特徴とする。
【００１３】
本発明は、上記目的を達成するため、定着器を含むプリント手段によるプリント動作を必要とする機能および該プリント動作を不要とする機能を有する複合機の制御方法であって、所定装置状態から立ち上げる機能が前記プリント動作を必要とする機能であるか否かを判定する判定工程と、前記所定装置状態から立ち上げる機能が前記プリント動作を必要とする機能であると、前記プリント手段の前記定着器の加熱を開始するように制御する制御工程とを備えることを特徴とする。
【００１４】
本発明は、上記目的を達成するため、定着器を含むプリント手段によるプリント動作を必要とする機能および該プリント動作を不要とする機能を有する複合機の制御方法であって、機能を選択する機能選択工程と、前記選択された機能が前記プリント動作を必要とする機能であるか否かを判定する判定工程と、前記選択された機能が前記プリント動作を必要とする機能であると、前記プリント手段の前記定着器の加熱を開始するように制御する制御工程とを備えることを特徴とする。
【００１５】
本発明は、上記目的を達成するため、用紙上に形成された現像剤像を該用紙上に定着させるための定着器を備える画像形成装置の制御方法であって、前記定着器に対して設定可能な複数の予熱温度と、前記定着器の温度がそれぞれの予熱温度から定着温度に到達するまでに要する複数の予測時間とを対応付けて表示手段に表示する表示工程と、ユーザの入力操作に応じて、前記複数の予熱温度の中から１つの予熱温度を選択して設定する予熱温度選択工程と、ユーザの入力操作に応じて、動作終了から休止状態へ移行するまでの移行時間を設定する時間設定工程と、前記設定された予熱温度および前記設定された移行時間を用いた制御を行う制御工程とを備えることを特徴とする。
【００１６】
本発明は、上記目的を達成するため、定着器を含むプリント手段およびファクシミリ受信手段を有する画像形成装置の制御方法であって、所定時間帯中、装置状態を休止状態に保持する状態保持工程と、前記ファクシミリ受信手段により前記装置状態が休止状態に保持されている所定時間帯中に受信されたデータを、前記プリント手段によりプリント出力するタイミングを設定するタイミング設定工程と、前記設定されたタイミングで前記定着器の加熱を開始するように制御する制御工程とを備えることを特徴とする。
【００１７】
本発明は、上記目的を達成するため、定着器を含むプリント手段および外部装置から送出された印刷データを受信する印刷データ受信手段を有する画像形成装置の制御方法であって、所定時間帯中、装置状態を休止状態に保持する状態保持工程と、前記印刷データ受信手段により前記装置状態が休止状態に保持されている所定時間帯中に受信された印刷データを、前記プリント手段によりプリント出力するタイミングを設定するタイミング設定工程と、前記設定されたタイミングで前記定着器の加熱を開始するように制御する制御工程とを備えることを特徴とする。
【００１８】
本発明は、上記目的を達成するため、定着器を含むプリント手段によるプリント動作を必要とする機能および該プリント動作を不要とする機能を有する複合機を制御するためのプログラムであって、所定装置状態から立ち上げる機能が前記プリント動作を必要とする機能であるか否かを判定する判定モジュールと、前記所定装置状態から立ち上げる機能が前記プリント動作を必要とする機能であると、前記プリント手段の前記定着器の加熱を開始するように制御する制御モジュールとを備えることを特徴とする。
【００１９】
本発明は、上記目的を達成するため、定着器を含むプリント手段によるプリント動作を必要とする機能および該プリント動作を不要とする機能を有する複合機を制御するためのプログラムであって、機能を選択する機能選択モジュールと、前記機能選択モジュールにより選択された機能が前記プリント動作を必要とする機能であるか否かを判定する判定モジュールと、前記機能選択モジュールにより選択された機能が前記プリント動作を必要とする機能であると、前記プリント手段の前記定着器の加熱を開始するように制御する制御モジュールとを備えることを特徴とする。
【００２０】
本発明は、上記目的を達成するため、用紙上に形成された現像剤像を該用紙上に定着させるための定着器を備える画像形成装置を制御するためのプログラムであって、前記定着器に対して設定可能な複数の予熱温度と、前記定着器の温度がそれぞれの予熱温度から定着温度に到達するまでに要する複数の予測時間とを対応付けて表示手段に表示する表示モジュールと、ユーザの入力操作に応じて、前記複数の予熱温度の中から１つの予熱温度を選択して設定する予熱温度選択モジュールと、ユーザの入力操作に応じて、動作終了から休止状態へ移行するまでの移行時間を設定する時間設定モジュールと、前記設定された予熱温度および前記設定された移行時間を用いた制御を行う制御モジュールとを備えることを特徴とする。
【００２１】
本発明は、上記目的を達成するため、定着器を含むプリント手段およびファクシミリ受信手段を有する画像形成装置を制御するためのプログラムであって、所定時間帯中、装置状態を休止状態に保持する状態保持モジュールと、前記ファクシミリ受信手段により前記装置状態が休止状態に保持されている所定時間帯中に受信されたデータを、前記プリント手段によりプリント出力するタイミングを設定するタイミング設定モジュールと、前記設定されたタイミングで前記定着器の加熱を開始するように制御する制御モジュールとを備えることを特徴とする。
【００２２】
本発明は、上記目的を達成するため、定着器を含むプリント手段および外部装置から送出された印刷データを受信する印刷データ受信手段を有する画像形成装置の制御方法であって、所定時間帯中、装置状態を休止状態に保持する状態保持モジュールと、前記印刷データ受信手段により前記装置状態が休止状態に保持されている所定時間帯中に受信された印刷データを、前記プリント手段によりプリント出力するタイミングを設定するタイミング設定モジュールと、前記設定されたタイミングで前記定着器の加熱を開始するように制御する制御モジュールとを備えることを特徴とする。
【００２３】
本発明は、上記目的を達成するため、上記の各プログラムのいずれかをコンピュータ読取可能に格納したことを特徴とする記憶媒体を提供する。
【発明の効果】
【００２４】
本発明によれば、ユーザにより使用環境に応じて定着器の加熱条件を容易に変更することができる。
【発明を実施するための最良の形態】
【００２５】
以下、本発明の実施の形態について図面を参照しながら説明する。
【００２６】
（第１の実施の形態）
図１は本発明の第１の実施の形態に係る複合機の内部構成を示すブロック図である。本実施の形態においては、本発明の複合機として、電子写真方式のプリンタエンジンを搭載するデジタル複写機について説明する。
【００２７】
デジタル複写機は、図１に示すように、コピー、プリンタ、ファクシミリなどの複数の機能を実現するための制御を行う印刷制御部１０１を備え、印刷制御部１０１は、ＣＰＵ１０２、ＲＯＭ１０３、ＲＡＭ１０４、ＦＡＸインタフェイス部（ＦＡＸＩＦ部）１０５、ネットワークインタフェイス部（ネットワークＩＦ部）１０６、エンジンインタフェイス部（エンジンＩＦ部）１０７、パネルインタフェイス部（パネルＩＦ部）１０８、スキャナインタフェイス部（スキャナＩＦ部）１０９、および外部記憶装置１１０を有する。
【００２８】
ＣＰＵ１０２は、ＲＯＭ１０３に格納されている制御プログラムなどに基づいて複数の機能を実現するための制御を行う。ＲＡＭ１０４は、ＣＰＵ１０２の作業領域などを提供する。ＦＡＸインタフインタフェイスは、電話回線１１４と接続され、該電話回線１１４を介してファクシミリ通信を行うためのインタフェイスである。ネットワークインタフェイス部１０６は、ＬＡＮなどのネットワーク１１５と接続され、該ネットワーク１１５を介してデータ通信を行うためのインタフェイスである。エンジンインタフェイス部１０７は、用紙上に画像を形成するプリンタ部１１１を制御するためのインタフェイスであり、プリンタ部１１１と間で印刷データ、制御コマンドなどの入力出力を行う。パネルインタフェイス部１０８は、操作パネル部１１２との間でのデータの入力出を行うインタフェイスである。スキャナインタフェイス部１０９は、原稿上の画像情報を読み取るスキャナ部１１３を制御するためのインタフェイスであり、スキャナ部１１３との間で読取データ、制御コマンドなどの入力出を行う。外部記憶装置１１０は、印刷データや電子データを保存するための記憶装置である。
【００２９】
プリンタ部１１１は、エンジンインタフェイス部１０７を介してタイミングを取りながら印刷データを受信し、該印刷データに基づいて画像を用紙上に形成する。パネル部１１２は、ユーザとのインタフェイスを実現する表示部およびスイッチを有する。スキャナ部１１３は、原稿上の画像を読み取り、その画像データを出力する。
【００３０】
次に、スキャナ部１１３およびプリンタ部１１１のハードウェア構成について図２を参照しながら説明する。図２は図１のスキャナ部１１３およびプリンタ部１１１のハードウェア構成を模式的に示す縦断面図である。
【００３１】
スキャナ部１１３は、図２に示すように、プリンタ部１１１と一体的に構成されている。スキャナ部１１３には、原稿給送装置２００が搭載されている。原稿給送装置２００は、原稿トレイ上に上向きにセットされた原稿を先頭頁から順に１枚ずつ左方向へ給紙し、湾曲したパスを介してプラテンガラス２０２上を左から流し読取り位置を経て右へ搬送し、その後外部の排紙トレイ２１２に向けて排出する。この原稿がプラテンガラス１０２上の流し読取り位置を左から右へ向けて通過するときに、この原稿画像は流し読取り位置に対応する位置に保持されたスキャナユニット２０４により読み取られる。この読取り方法は、一般的に、原稿流し読みと呼ばれる方法である。具体的には、原稿が流し読取り位置を通過する際に、原稿の読取り面がスキャナユニット２０４のランプ２０３の光で照射され、その原稿からの反射光がミラー２０５，２０６，２０７を介してレンズ２０８に導かれる。このレンズ２０８を通過した光は、イメージセンサ２０９の撮像面に結像する。イメージセンサ２０９は、撮像面に結像された光像を電気信号に変換して出力する。イメージセンサ２０９から出力された電気信号は、印刷制御部１０１において所定の処理が施された後にプリンタ部１１１の露光制御部２１０にビデオ信号として入力される。
【００３２】
また、いわゆる原稿固定読みを行うことも可能である。この場合、原稿給送装置２００により原稿がプラテンガラス２０２上に搬送して所定位置に停止され、この状態でスキャナユニット２０４を左から右へ走査させることにより原稿の画像情報が読み取られる。また、原稿給送装置２００を使用せずに、原稿をプラテンガラス１０２上に直接載置することによって原稿を読み取ることも可能である。
【００３３】
プリンタ３００の露光制御部２１０は、入力されたビデオ信号に基づきレーザ光を変調して出力し、該レーザ光はポリゴンミラー２１０ａにより走査されながら感光ドラム２１１上に照射される。感光ドラム２１１には走査されたレーザ光に応じた静電潜像が形成される。
【００３４】
この感光ドラム２１１上の静電潜像は、現像器２１３から供給される現像剤によって現像剤像として可視像化される。また、レーザ光の照射開始と同期したタイミングで、各カセット２１４，２１５、手差給紙部２２５または両面搬送パス２２４から用紙が給紙され、この用紙は感光ドラム２１１と転写部２１６との間に搬送される。感光ドラム２１１に形成された現像剤像は転写部２１６により給紙された用紙上に転写される。
【００３５】
現像剤像が転写された用紙は定着器２１７に搬送され、定着器２１７は用紙を熱圧することによって現像剤像を用紙上に定着させる。定着器２１７を通過した用紙はフラッパ２２１および排出ローラ２１８を経て排紙トレイ２１９上に排出される。
【００３６】
また、用紙の両面に画像形成を行う両面記録が設定されている場合には、フラッパ２２１の切換動作により用紙を反転パス２２２に導いた後に両面搬送パス２２４へ搬送し、両面搬送パス２２４へ導かれた用紙を上述したタイミングで感光ドラム２１１と転写部２１６との間に再度給紙する制御が行われる。
【００３７】
次に、上記記定着器２１７の構成について図３を参照しながら説明する。図３は図２の定着器２１７の主要部構成を模式的に示す縦断面図である。
【００３８】
定着器２１７は、図３（ａ）に示すように、ハロゲンヒータ３０２を熱源として用いる定着装置であり、ハロゲンヒータ３０２は、定着ローラ３０１に内蔵されている。定着ローラ３０１には、加圧機構（図示せず）により、加圧ローラ３０３が定着ローラ３０１に従動回転可能なように所定の押圧力で押し付けられている。定着ローラ３０１と加圧ローラ３０３の間には、用紙を挟持搬送するためのニップ部が形成され、このニップ幅は、上記押圧力の大きさに応じて変えることが可能である。また、定着ローラ３０１の表面近傍には、温度検出器３０４が設けられている。この温度検出器３０４の出力は、後述する温調回路３０５に入力される。
【００３９】
なお、上記定着器２１７においては、１本のハロゲンヒータ３０２が内蔵されているが、複数のハロゲンヒータを内蔵することも可能である。
【００４０】
ハロゲンヒータ３０２は、図３（ｂ）に示すように、温調回路３０５により駆動制御される。温調回路３０５は、エンジンインタフェイス部１０７を介して入力された制御信号と温度検出器３０４の出力に基づいて、定電圧制御によりハロゲンヒータ３０２に対して供給される電力の増減を行う。
【００４１】
本実施の形態においては、上述したように、コピー、プリンタ、ファクシミリ、ネットワークデータ送受信の各機能が設けられている。これらの機能とプリンタ部１１１のプリント動作との関係について図４を参照しながら説明する。図４は図１の複合機の各機能とプリンタ部１１１のプリント動作との関係を示す図である。
【００４２】
コピー機能は、スキャナ部１０３により原稿を読み取り、この読み取られた画像データをプリンタ部１１１で用紙上に形成する機能である。
【００４３】
プリンタ機能は、ネットワーク上のコンピュータからネットワークインタフェイス部１０６を介して印刷データを受信し、プリンタ部１１１により、この受信した印刷データに基づいて画像を用紙上に形成する機能である。
【００４４】
ファクシミリ機能は、ファクシミリ受信（ＦＡＸ受信）機能と、ファクシミリ送信（ＦＡＸ送信）機能とを含む。ファクシミリ受信機能は、ファクシミリインタフェイス部１０５を介してファクシミリデータを受信し、プリンタ部１１１により、この受信したファクシミリデータに基づいて画像を用紙上に形成する機能である。ファクシミリ送信機能は、スキャナ部１１３により紙原稿を読み取り、その読み取られたデータをファクシミリデータ形式に変換してファクシミリインタフェイス部１０５を介して出力する機能である。
【００４５】
ネットワークデータ送受信機能は、ネットワークデータ受信機能と、ネットワークデータ送信機能とを含む。ネットワークデータ受信機能は、ネットワーク上の機器からネットワークインタフェイス部１０６を介して受信したデータを外部記憶装置１１０に書き込み、保存する機能である。ネットワークデータ送信機能は、スキャナ部１１３により原稿を読み取り、この読み取られた画像データを、ネットワークインタフェイス部１０６を介してネットワーク上の機器に出力する機能である。また、このデータ送信機能により、外部記憶装置１１０に保存されているデータを、ネットワークインタフェイス部１０６を介してネットワーク上の機器に出力することも可能である。
【００４６】
本実施の形態においては、図４に示すように、コピー、プリンタ、ファクシミリ、ネットワークデータ送受信の各機能に関して、使用する機能によりプリンタ部１１１によるプリント動作が必要であるか否かが対応付けられる。この対応関係は、例えば、外部記憶装置１１０にテーブル形式で保持されている。そして、本実施の形態においては、電源投入時に立ち上げられる機能の種類に応じて、プリンタ部１１１の定着器２１７の加熱を行うか否かを制御する。具体的には、電源投入時に立ち上げる機能として、コピー、プリンタ、ファクシミリ受信のいずれかの機能が設定されている場合、これらの機能に対しては、プリンタ部１１１によるプリント動作が必要であるので、プリンタ部１１１の定着器２１７の加熱すなわちヒータ３０２へ電力供給が開始され、定着器２１７の温度が定着温度まで立ち上げられる。これに対し、電源投入時に立ち上げる機能として、ファクシミリ送信、ネットワークデータ送受信のいずれかの機能が設定されている場合、これらの機能に対しては、プリンタ部１１１によるプリント動作が必要でないので、プリンタ部１１１の定着器２１７の定着温度までの加熱が行われない。
【００４７】
電源投入時に立ち上げる機能として設定された機能が立ち上げられた後に、ユーザにより、プリンタ部１１１によるプリント動作が必要である機能例えばコピー機能が選択されると、プリンタ部１１１のプリント動作を可能にすべく、定着器２１７のヒータ３０２への電源供給が開始され、定着器２１７の表面温度が定着温度まで立ち上げられる。
【００４８】
電源投入時に立ち上げる機能は、予め設定されており、その機能を示す初期状態設定値が、外部記憶装置１１０に格納されている。この初期状態設定値は、操作パネル部１１２上でのユーザの入力操作により設定することができる。この設定に関しては、例えば、操作パネル部１１２を介した所定の操作により、電源投入時に立ち上げる機能として、コピー、プリンタ、ファクシミリ、ネットワークデータ送受信のいずれかの機能を選択するための画面が表示され、この画面上でいずれかの機能が選択されると、選択された機能に対応する値が初期状態設定値として外部記憶装置１１０に保存される。
【００４９】
具体的に、電源投入時の動作について図５を参照しながら説明する。図５は図１の複合機における電源投入時の動作を示すフローチャートである。この図５のフローチャートに示す手順は、印刷制御部１０１のＣＰＵ１０２によりＲＯＭ１０３に格納されたプログラムに従って実行されるものである。
【００５０】
ユーザが本装置の電源を入れると、図５に示すように、印刷制御部１０１のＣＰＵ１０２は、装置の自己診断を実行し（ステップＳ１０１）、自己診断の結果、問題（故障の発生等）がないか否かを判定する（ステップＳ１０２）。ここで、自己診断の結果、問題があれば、ＣＰＵ１０２は、パネルインタフェイス部１０８を介して操作パネル部１１２にエラーを表示するように制御し、装置動作を停止状態にする（ステップＳ１０９）。
【００５１】
これに対し、自己診断の結果、問題がないと判定された場合、ＣＰＵ１０２は、外部記憶装置１１０から電源投入時に立ち上げる機能を示す初期状態設定値を読み出し（ステップＳ１０３）、この初期状態設定値が示す機能を立ち上げる（ステップＳ１０４）。そして、ＣＰＵ１０２は、外部記憶装置１１０に保持されているテーブル（図４に示す）に基づいて、立ち上げる機能がプリント動作を必要とする機能であるか否かを判定する（ステップＳ１０５）。ここで、立ち上げる機能がプリント動作を必要とする機能（コピー、プリンタ、ファクシミリ受信のいずれかの機能）であれば、エンジンインタフェイス部１０７を介してプリンタ部１１１に対して定着器２１７の加熱を指示する（ステップＳ１０６）。この指示によりプリンタ部１１１の温調回路３０５は、定着器２１７の表面温度（温度検出器３０４により検出された温度）が短時間で定着温度に達するように、定着器２１７のハロゲンヒータ３０２への電力供給を制御する。
【００５２】
次いで、ＣＰＵ１０２は、プリンタ部１１１からの定着温度検出信号に基づいて、プリンタ部１１１がプリント動作可能な状態になるのを待つ（ステップＳ１０７）。ここで、プリンタ部１１１からの定着温度検出信号は、温調回路３０５から出力される、定着器２１７の表面温度が上記定着温度に達したか否かを示す信号である。ＣＰＵ１０２は、上記定着温度検出信号が、定着器２１７の表面温度が上記定着温度に達したことを示すとき、プリンタ部１１１が動作可能な状態になったと判断し、パネルインタフェイス部１０８を介して操作パネル部１１２に立ち上げられた機能の操作画面を表示するように制御する（ステップＳ１０８）。この表示された操作画面には、立ち上げられた機能が実行可能状態にある旨が表示される。
【００５３】
立ち上げる機能がプリント動作を必要としない機能（ファクシミリ送信、ネットワークデータ送受信のいずれか）であれば（ステップＳ１０５）、ＣＰＵ１０２は、定着器２１７の加熱を行うことなく、パネルインタフェイス部１０８を介して操作パネル部１１２に立ち上げられた機能の操作画面を表示するように制御する（ステップＳ１０８）。この操作画面には、立ち上げられた機能が実行可能状態にある旨が表示される。
【００５４】
また、本実施の形態においては、休止状態から復帰する際に、立ち上げる機能の種類に応じて、プリンタ部１１１の定着器２１７の加熱（電力供給）を行うか否かが制御される。具体的には、休止状態から復帰する際に、電源投入時に立ち上げる機能として設定されている機能を立ち上げるのか、休止前に選択されていた機能を立ち上げるのかを示す設定値が復帰状態設定値として外部記憶装置１１０に格納されており、休止状態から復帰する際には、この復帰状態設定値に基づいて対応する機能が立ち上げられるとともに、この対応する機能に応じてプリンタ部１１１の定着器２１７の加熱を行うか否かが制御される。この休止状態からの復帰時に立ち上げる機能の設定も、電源投入時の立ち上げ機能の設定と同様に、行われる。
【００５５】
この休止状態から復帰する際の動作について図６を参照しながら説明する。図６は図１の複合機における休止状態から復帰する際の動作を示すフローチャートである。この図６のフローチャートに示す手順は、印刷制御部１０１のＣＰＵ１０２によりＲＯＭ１０３に格納されたプログラムに従って実行されるものである。
【００５６】
装置が休止状態にあると、図６に示すように、ＣＰＵ１０２は、操作パネル部１１２から復帰要求の割り込みが発生するのを待つ（ステップＳ２０１）。ユーザが操作パネル部１１２の対応するスイッチを押下すると、復帰要求の割り込みが発生する。この復帰要求の割り込みの発生を検出すると、ＣＰＵ１０２は、外部記憶装置１１０から復帰状態設定値を読み出し（ステップＳ２０２）、この読み出された復帰状態設定値に基づいて電源投入時に立ち上げる機能として設定されている機能を立ち上げるのか、休止前に選択されていた機能を立ち上げるのかを判定する（ステップＳ２０３）。
【００５７】
ここで、電源投入時に立ち上げる機能として設定されている機能を立ち上げる場合、ＣＰＵ１０２は、外部記憶装置１１０から初期状態設定値を読み出し、この初期状態設定値が示す機能を立ち上げる（ステップＳ２０４）。これに対し、休止前に選択されていた機能を立ち上げる場合、ＣＰＵ１０２は、外部記憶装置１１０を参照して休止前に選択されていた機能を立ち上げる（ステップＳ２０５）。
【００５８】
上記機能の立ち上げ開始後、ＣＰＵ１０２は、外部記憶装置１１０に保持されているテーブル（図４に示す）に基づいて、この立ち上げる機能がプリント動作を必要とする機能であるか否かを判定する（ステップＳ２０６）。ここで、立ち上げる機能がプリント動作を必要とする機能（コピー、プリンタ、ファクシミリ受信のいずれかの機能）であれば、エンジンインタフェイス部１０７を介してプリンタ部１１１に対して定着器２１７の加熱を指示する（ステップＳ２０７）。この指示によりプリンタ部１１１の温調回路３０４は、定着器２１７の温度（定着ローラ３０１の表面温度）が短時間で定着温度に達するように、定着器２１７のハロゲンヒータ３０２への電力供給を制御する。
【００５９】
次いで、ＣＰＵ１０２は、プリンタ部１１１からの定着温度検出信号に基づいて、プリンタ部１１１がプリント動作可能な状態になるのを待つ（ステップＳ２０８）。ＣＰＵ１０２は、上記定着温度検出信号が、定着器２１７の温度が上記定着温度に達したことを示すとき、プリンタ部１１１が動作可能な状態になったと判断し、パネルインタフェイス部１０８を介して操作パネル部１１２に立ち上げられた機能の操作画面を表示するように制御する（ステップＳ２０９）。この操作画面には、立ち上げられた機能が実行可能状態にある旨が表示される。
【００６０】
立ち上げる機能がプリント動作を必要としない機能（ファクシミリ送信、ネットワークデータ送受信のいずれか）であれば（ステップＳ２０６）、ＣＰＵ１０２は、定着器２１７の加熱を行うことなく、パネルインタフェイス部１０８を介して操作パネル部１１２に立ち上げられた機能の操作画面を表示するように制御する（ステップＳ２０９）。この操作画面には、立ち上げられた機能が実行可能状態にある旨が表示される。
【００６１】
このように、本実施の形態によれば、ユーザの操作により設定された電源投入時に立ち上げる機能および休止状態から復帰する際に立ち上げる機能に応じて、定着器２１７の加熱を行うか否かが制御される。すなわち、ユーザの操作により、電源投入時に立ち上げる機能および休止状態から復帰する際に立ち上げる機能を使用環境に適した機能に設定することによって、定着器２１７の加熱条件を容易に変えることができる。また、電源投入時に立ち上げる機能および休止状態から復帰する際に立ち上げる機能を変えることによって、定着器２１７による無駄な電力消費を極力少なく抑えることを可能にするような、定着器２１７に対する加熱条件を得ることができる。
【００６２】
例えば、コピー、プリンタ、ファクシミリ受信などのプリンタ部１１１によるプリント動作が必要である機能の使用頻度が非常に高い使用環境においては、電源投入時または休止状態からの復帰時に、コピー、プリンタ、ファクシミリ受信のいずれかの機能を立ち上げるように設定すれば、電源投入または復帰直後に、プリンタ部１１１によるプリント動作が必要である機能を実行することができる。
【００６３】
また、ファクシミリ送信、ネットワークデータ送受信などのプリンタ部１１１によるプリント動作が必要でない機能の使用頻度が高い使用環境においては、電源投入時または休止状態からの復帰時に、ファクシミリ送信、ネットワークデータ送受信のいずれかの機能を立ち上げるように設定すれば、定着器２１７を不必要に加熱することを抑制することができる。
【００６４】
また、休止状態からの復帰時に立ち上げる機能を休止前に選択された機能とするように設定することによって、使用頻度が高い機能を立ち上げることが可能となる。
【００６５】
（第２の実施の形態）
次に、本発明の第２の実施の形態について図７を参照しながら説明する。図７は本発明の第２の実施の形態に係る複合機における電源投入時の動作を示すフローチャートである。本実施の形態は、上記第１の実施の形態と同じ構成を有し、ここでは、その説明は省略する。また、以下の説明においては、上記第１の実施の形態と同じ構成には、同一の符号を使用する。
【００６６】
本実施の形態は、上記第１の実施の形態に対し、装置の電源が投入されても定着器２１７の加熱を開始せず、ユーザにより使用される機能が選択された時点で、選択された機能がプリント動作を必要とする機能であるか否かに応じて定着器２１７の加熱を開始する点で異なる。
【００６７】
本実施の形態における電源投入時の動作について具体的に図７を参照しながら説明する。この図７のフローチャートに示す手順は、印刷制御部１０１のＣＰＵ１０２によりＲＯＭ１０３に格納されたプログラムに従って実行されるものである。
【００６８】
ユーザが本装置の電源を入れると、図７に示すように、印刷制御部１０１のＣＰＵ１０２は、装置の自己診断を実行し（ステップＳ３０１）、自己診断の結果、問題（故障の発生等）がないか否かを判定する（ステップＳ３０２）。ここで、自己診断の結果、問題があれば、ＣＰＵ１０２は、パネルインタフェイス部１０８を介して操作パネル部１１２にエラーを表示するように制御し、装置動作を停止状態にする（ステップＳ３０９）。
【００６９】
これに対し、自己診断の結果、問題がないと判定された場合、ＣＰＵ１０２は、ユーザにより操作パネル部１１２上の機能選択ボタンが押下されるのを待ち（ステップＳ３０３）、ここで機能選択ボタンが押下されると、この機能選択ボタンにより選択された機能を立ち上げる（ステップＳ３０４）。そして、ＣＰＵ１０２は、外部記憶装置１１０に保持されているテーブル（図４に示す）に基づいて、立ち上げる機能がプリント動作を必要とする機能であるか否かを判定する（ステップＳ３０５）。ここで、立ち上げる機能がプリント動作を必要とする機能（コピー、プリンタ、ファクシミリ受信のいずれかの機能）であれば、エンジンインタフェイス部１０７を介してプリンタ部１１１に対して定着器２１７の加熱を指示する（ステップＳ３０６）。この指示によりプリンタ部１１１の温調回路３０５は、定着器２１７の表面温度（温度検出器３０４により検出された温度）が短時間で定着温度に達するように、定着器２１７のハロゲンヒータ３０２への電力供給を制御する。
【００７０】
次いで、ＣＰＵ１０２は、プリンタ部１１１からの定着温度検出信号に基づいて、プリンタ部１１１がプリント動作可能な状態になるのを待つ（ステップＳ３０７）。そして、ＣＰＵ１０２は、上記定着温度検出信号が、定着器２１７の表面温度が上記定着温度に達したことを示すとき、プリンタ部１１１が動作可能な状態になったと判断し、パネルインタフェイス部１０８を介して操作パネル部１１２に立ち上げられた機能の操作画面を表示するように制御する（ステップＳ３０８）。この表示された操作画面には、立ち上げられた機能が実行可能状態にある旨が表示される。
【００７１】
立ち上げる機能がプリント動作を必要としない機能（ファクシミリ送信、ネットワークデータ送受信のいずれか）であれば（ステップＳ３０５）、ＣＰＵ１０２は、定着器２１７の加熱を行うことなく、パネルインタフェイス部１０８を介して操作パネル部１１２に立ち上げられた機能の操作画面を表示するように制御する（ステップＳ３０８）。この操作画面には、立ち上げられた機能が実行可能状態にある旨が表示される。
【００７２】
また、図示していないが、休止状態から復帰する際にも、電源投入時と同様に、定着器２１７の加熱が開始されず、ユーザにより使用される機能が選択された時点で、選択された機能がプリント動作を必要とする機能であるか否かに応じて定着器２１７の加熱が開始される。
【００７３】
このように、本実施の形態においては、電源投入時または休止状態からの復帰時直後に、定着器２１７の加熱が開始されることはなく、ユーザによりプリント動作を必要とする機能が選択された場合は、定着器２１７の加熱が開始され、プリント動作を必要としない機能が選択された場合は、定着器２１７の加熱は開始されない。よって、ユーザにより選択された機能の種類に応じて、定着器２１７の加熱条件が変えられることになる。また、プリント動作を必要としない機能が選択された場合は、定着器２１７の加熱は開始されないので、定着２１７の不必要な加熱をなくすことができる。
【００７４】
（第３の実施の形態）
次に、本発明の第３の実施の形態について図８を参照しながら説明する。図８は本発明の第３の実施の形態に係る複合機における起動時の動作を示すフローチャートである。本実施の形態は、上記第１の実施の形態と同じ構成を有し、ここでは、その説明は省略する。また、以下の説明においては、上記第１の実施の形態と同じ構成には、同一の符号を使用する。
【００７５】
本実施の形態は、上記第２の実施の形態に対し、装置の起動を、装置内の内部タイマで管理し、または装置外部からネットワーク経由で行う点で異なる。
【００７６】
本実施の形態における起動時の動作について具体的に図８を参照しながら説明する。この図８のフローチャートに示す手順は、印刷制御部１０１のＣＰＵ１０２によりＲＯＭ１０３に格納されたプログラムに従って実行されるものである。
【００７７】
装置内の内部タイマの時間が起動時間になると、または装置外部からネットワーク経由で装置の起動が指示されると、図８に示すように、印刷制御部１０１のＣＰＵ１０２は、装置の自己診断を実行し（ステップＳ４０１）、自己診断の結果、問題（故障の発生等）がないか否かを判定する（ステップＳ４０２）。ここで、自己診断の結果、問題があれば、ＣＰＵ１０２は、パネルインタフェイス部１０８を介して操作パネル部１１２にエラーを表示するように制御し、装置動作を停止状態にする（ステップＳ４１１）。
【００７８】
これに対し、自己診断の結果、問題がないと判定された場合、ＣＰＵ１０２は、ユーザにより操作パネル部１１２上の機能選択ボタンが押下されたか否かを判定する（ステップＳ４０３）。ここで機能選択ボタンが押下されていない場合、ＣＰＵ１０２は、起動から所定時間が経過したか否かを判定し（ステップＳ４０９）、起動から所定時間が経過していない場合、ＣＰＵ１０２は、ステップＳ４０３に戻り、機能選択ボタンが押下されたか否かを判定する。機能選択ボタンが押下されず、起動から所定時間が経過すると、ＣＰＵ１０２は、休止状態へ移行する（ステップＳ４１０）。
【００７９】
所定時間が経過する前にユーザにより機能選択ボタンが押下されると、ＣＰＵ１０２は、この機能選択ボタンにより選択された機能を立ち上げる（ステップＳ４０４）。そして、ＣＰＵ１０２は、外部記憶装置１１０に保持されているテーブル（図４に示す）に基づいて、立ち上げる機能がプリント動作を必要とする機能であるか否かを判定する（ステップＳ４０５）。ここで、立ち上げる機能がプリント動作を必要とする機能（コピー、プリンタ、ファクシミリ受信のいずれかの機能）であれば、エンジンインタフェイス部１０７を介してプリンタ部１１１に対して定着器２１７の加熱を指示する（ステップＳ４０６）。この指示によりプリンタ部１１１の温調回路３０５は、定着器２１７の表面温度（温度検出器３０４により検出された温度）が短時間で定着温度に達するように、定着器２１７のハロゲンヒータ３０２への電力供給を制御する。
【００８０】
次いで、ＣＰＵ１０２は、プリンタ部１１１からの定着温度検出信号に基づいて、プリンタ部１１１がプリント動作可能な状態になるのを待つ（ステップＳ４０７）。そして、ＣＰＵ１０２は、上記定着温度検出信号が、定着器２１７の表面温度が上記定着温度に達したことを示すとき、プリンタ部１１１が動作可能な状態になったと判断し、パネルインタフェイス部１０８を介して操作パネル部１１２に立ち上げられた機能の操作画面を表示するように制御する（ステップＳ４０８）。この表示された操作画面には、立ち上げられた機能が実行可能状態にある旨が表示される。
【００８１】
立ち上げる機能がプリント動作を必要としない機能（ファクシミリ送信、ネットワークデータ送受信のいずれか）であれば（ステップＳ４０５）、ＣＰＵ１０２は、定着器２１７の加熱を行うことなく、パネルインタフェイス部１０８を介して操作パネル部１１２に立ち上げられた機能の操作画面を表示するように制御する（ステップＳ４０８）。この操作画面には、立ち上げられた機能が実行可能状態にある旨が表示される。
【００８２】
装置の起動を、装置内の内部タイマで管理し、または装置外部からネットワーク経由で行うような場合、起動から所定時間が経過するまでの間に機能選択ボタンが押下されないと、休止状態へ移行するので、定着器２１７の不必要な加熱は全く行われない。
【００８３】
（第４の実施の形態）
次に、本発明の第４実施の形態について図９を参照しながら説明する。図９は本発明の第４の実施の形態に係る複合機の定着器の加熱条件を設定するためのテーブルを模式的に示す図である。本実施の形態は、上記第１の実施の形態と同じ構成を有し、ここでは、その説明は省略する。
【００８４】
本実施の形態においては、図９に示すように、電源投入時（電源ＯＮ時）、休止状態からの復帰時のそれぞれに対して、定着器の加熱条件として、「設定に従う」という条件、「定着器を加熱しない」という条件、「定着器を加熱する」という条件のいずれかを設定することができる。
【００８５】
ここで、「設定に従う」という条件が設定されると、第１実施の形態のように、電源投入時（電源ＯＮ時）または休止状態からの復帰時に立ち上がる機能の設定が要求され、この要求に応じて設定された機能を立ち上げる際に、当該機能がプリント動作を必要とする機能であるか否かに応じて定着器２１７の加熱が開始される。
【００８６】
「定着器を加熱しない」という条件が設定されると、第２または第３の実施の形態のように、電源投入時または休止状態からの復帰時には、定着器２１７の加熱が開始されず、ユーザにより使用される機能が選択された時点で、選択された機能がプリント動作を必要とする機能であるか否かに応じて定着器２１７の加熱が開始される。
【００８７】
「定着器を加熱する」という条件が設定されると、電源投入時（電源ＯＮ時）または休止状態からの復帰時に立ち上がる機能の種類に関係なく、定着器２１７の加熱が開始される。
【００８８】
上記加熱条件の設定は、例えば操作パネル部１１２に表示される加熱条件設定画面上で行うことができる。この加熱条件設定画面は、所定の操作により任意のタイミングで読み出すことができる。加熱条件設定画面においては、上記加熱条件のそれぞれが表示され、各加熱条件の中から所望の加熱条件を選択することによって、選択された加熱条件が設定される。
【００８９】
このように、電源投入時（電源ＯＮ時）、休止状態からの復帰時のそれぞれに対して、上記定着器の加熱条件のいずれかを選択することによって、多種の定着器加熱条件を設定することができる。すなわち、ユーザにより、使用環境に適した定着器２１７の加熱条件を設定することができる。
【００９０】
（第５の実施の形態）
次に、本発明の第５の実施の形態について図１０を参照しながら説明する。図１０は本発明の第５の実施の形態に係る複合機における定着器の加熱状態から休止状態へ移行するまでの時間を設定するために使用するテーブルを模式的に示す図である。本実施の形態は、上記第１の実施の形態と同じ構成を有し、ここでは、その説明は省略する。
【００９１】
本実施の形態は、定着器２１７に対して異なる複数の予熱温度から１つを選択して設定することが可能であり、予熱温度毎の該予熱温度から定着温度に達するまでに要する目安時間（予測時間）を参照して、予熱温度毎に、現在選択されている機能の動作終了から休止状態へ移行するまでの時間を設定することができる。
【００９２】
例えば図１０に示すように、異なる３つの予熱温度（レベル１，２，３）が設けられている場合、予熱温度毎に、該予熱温度から定着温度に達するまでに要する目安時間（予測時間）を対応付けたテーブルが用意される。ここで、予熱温度に関しては、レベル１＞レベル２＞レベル３の関係があるものとする。そして、上記テーブルの目安時間を参照して、予熱温度毎に、現在選択されている機能の動作終了から休止状態へ移行するまでの時間が設定され、設定された時間は上記テーブルに書き込まれる。
【００９３】
このように、予熱温度と、該予熱温度に対する、現在選択されている機能の動作終了から休止状態へ移行するまでの時間とを対応付けて設定することができる。そして、これらの設定された値を用いた制御が可能になる。よって、ユーザにより使用環境に応じて定着器２１７の加熱条件を容易に変更することができる。
【００９４】
ここでは、上記第１実施の形態の複合機の場合について説明したが、本実施の形態における予熱温度と、該予熱温度に対する、現在選択されている機能の動作終了から休止状態へ移行するまでの時間とを対応付けて設定する構成は、コピー機能、プリント機能、ファクシミリ受信機能などの単一の機能を有する画像形成装置に適用可能なことはいうまでもなく、このような画像形成装置においても、同様の効果が得られる。
【００９５】
（第６の実施の形態）
次に、本発明の第６の実施の形態について図１１を参照しながら説明する。図１１は本発明の第６の実施の形態に係る複合機におけるファクシミリ受信データの出力タイミングの設定に用いられるテーブルを模式的に示す図である。本実施の形態は、上記第１の実施の形態と同じ構成を有し、ここでは、その説明は省略する。
【００９６】
本実施の形態においては、夜間などの所定時間帯中、装置状態を休止状態にするように設定することが可能であるとともに、このような所定時間帯中においてファクシミリ受信があると、ファクシミリ受信を実行することが可能である。そして、本実施の形態においては、夜間などの所定時間帯中においてファクシミリ受信があると、その受信データをどのタイミングで出力するかを設定することができる。具体的には、図１１のテーブルに示すように、夜間などの所定時間帯においてファクシミリ受信があると、そのファクシミリ受信したデータの出力タイミングとして、「即時出力」、「定期的に出力」、「起動時に出力」のいずれかを設定することができる。
【００９７】
ここで、「即時出力」が設定されていると、ファクシミリ受信する毎に、プリンタ部１１１の定着器２１７が加熱され、ファクシミリ受信したデータがプリンタ部１１１により用紙上に印字されて出力される。この出力後、一定期間ファクシミリ受信がなければ、定着器２１７の温度は所定温度まで下げられる。
【００９８】
「定期的に出力」が設定されていると、ファクシミリ受信したデータをメモリに格納するメモリ受信が設定される。そして、予め設定された時間間隔（例えば１時間間隔）でメモリ内にファクシミリ受信したデータがあるか否かの判定が行われ、メモリ内にファクシミリ受信したデータがあるときには、プリンタ部１１１の定着器２１７が加熱され、メモリ内のファクシミリ受信したデータがプリンタ部１１１により用紙上に印字されて出力される。この設定は、メモリ受信に用いられるメモリ容量が小さい場合に有効である。
【００９９】
「起動時に出力」が設定されると、ファクシミリ受信したデータをメモリに格納するメモリ受信が設定される。そして、例えば翌朝起動されたときにメモリ内にファクシミリ受信したデータがあるか否かの判定が行われ、メモリ内にファクシミリ受信したデータがあるときには、プリンタ部１１１の定着器２１７が加熱され、メモリ内のファクシミリ受信したデータがプリンタ部１１１により用紙上に印字されて出力される。この設定は、メモリ受信に用いられるメモリ容量が大きい場合に有効である。
【０１００】
また、本実施の形態の構成は、ファクシミリ受信機能などの単一の機能を有する画像形成装置に適用可能なことはいうまでもなく、このような画像形成装置においても、同様の効果が得られる。
【０１０１】
また、休止状態にある夜間などの所定時間帯中においてネットワークを介して印刷データを受信することが可能である場合、その受信した印刷データの出力タイミングは、ファクシミリ受信データの出力タイミングと同様に、設定することができる。この場合の構成は、プリンタ機能などの単一の機能を有する画像形成装置に適用可能なことはいうまでもない。
【０１０２】
なお、本発明の目的は、前述した各実施の形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した各実施の形態の機能を実現することになり、そのプログラムコードを記憶した記憶媒体は本発明を構成することになる。また、コンピュータが読み出したプログラムコードを実行することにより、前述した各実施の形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【０１０３】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した各実施の形態の機能が実現される場合も含まれることはいうまでもない。
【図面の簡単な説明】
【０１０４】
【図１】本発明の第１の実施の形態に係る複合機の内部構成を示すブロック図である。
【図２】図１のスキャナ部１１３およびプリンタ部１１１のハードウェア構成を模式的に示す縦断面図である。
【図３】図２の定着器２１７の主要部構成を模式的に示す縦断面図である。
【図４】図１の複合機の各機能とプリンタ部１１１のプリント動作との関係を示す図である。
【図５】図１の複合機における電源投入時の動作を示すフローチャートである。
【図６】図１の複合機における休止状態から復帰する際の動作を示すフローチャートである。
【図７】本発明の第２の実施の形態に係る複合機における電源投入時の動作を示すフローチャートである。
【図８】本発明の第３の実施の形態に係る複合機における起動時の動作を示すフローチャートである。
【図９】本発明の第４の実施の形態に係る複合機の定着器の加熱条件を設定するためのテーブルを模式的に示す図である。
【図１０】本発明の第５の実施の形態に係る複合機における定着器の加熱状態から休止状態へ移行するまでの時間を設定するために使用するテーブルを模式的に示す図である。
【図１１】本発明の第６の実施の形態に係る複合機におけるファクシミリ受信データの出力タイミングの設定に用いられるテーブルを模式的に示す図である。
【符号の説明】
【０１０５】
１０１  印刷制御部
１０２  ＣＰＵ
１０３  ＲＯＭ
１０４  ＲＡＭ
１０５  ＦＡＸインタフェース部
１０６  ネットワークインタフェース部
１０７  エンジンインタフェース部
１０８  パネルインタフェース部
１０９  スキャナインタフェース部
１１０  外部記憶装置
１１１  プリンタ部
１１２  操作パネル部
１１３  スキャナ部
２１７  定着器
３０２  ヒータ
３０５  温調回路
【図１】
2005156624.tif 000003
【図２】
2005156624.tif 000004
【図３】
2005156624.tif 000005
【図４】
2005156624.tif 000006
【図５】
2005156624.tif 000007
【図６】
2005156624.tif 000008
【図７】
2005156624.tif 000009
【図８】
2005156624.tif 000010
【図９】
2005156624.tif 000011
【図１０】
2005156624.tif 000012
【図１１】
2005156624.tif 000013
【手続補正書】
【提出日】平成16年12月2日(2004.12.2)
【手続補正１】
【補正対象書類名】特許請求の範囲
【補正対象項目名】全文
【補正方法】変更
【補正の内容】
【特許請求の範囲】
【請求項１】
定着器を含むプリント手段によるプリント動作を必要とする機能および該プリント動作を不要とする機能を有する複合機であって、
所定装置状態から立ち上げる機能が前記プリント動作を必要とする機能であるか否かを判定する判定手段と、
前記所定装置状態から立ち上げる機能が前記プリント動作を必要とする機能であると、前記プリント手段の前記定着器の加熱を開始するように制御する制御手段と
を備えることを特徴とする複合機。
【請求項２】
前記所定装置状態は、装置電源オフ状態であることを特徴とする請求項１記載の複合機。
【請求項３】
前記所定装置状態は、装置休止状態であることを特徴とする請求項１記載の複合機。
【請求項４】
前記所定装置状態から立ち上げる機能を設定する機能設定手段を備えることを特徴とする請求項１ないし３のいずれか１つに記載の複合機。
【請求項５】
前記所定状態は、少なくとも装置電源オフ状態と装置休止状態とを含み、
前記所定状態からの立ち上げ時に前記定着器を加熱するか、加熱しないか、前記判定手段の判定結果に従うかのいずれかを装置電源オフ状態と装置休止状態それぞれに対して設定する加熱条件設定手段を有し、
前記所定状態からの立ち上げ時において、前記制御手段は前記所定手段が前記装置電源オフ状態であるか、前記装置休止状態であるかを決定し、該決定結果と前記加熱条件設定手段とに基づいて前記定着器を加熱するか、加熱しないか、前記判定手段の結果に従うかを選択することを特徴とする請求項１記載の複合機。
【請求項６】
定着器を含むプリント手段によるプリント動作を必要とする機能および該プリント動作を不要とする機能を有する複合機であって、
機能を選択する機能選択手段と、
前記機能選択手段により選択された機能が前記プリント動作を必要とする機能であるか否かを判定する判定手段と、
前記機能選択手段により選択された機能が前記プリント動作を必要とする機能であると、前記プリント手段の前記定着器の加熱を開始するように制御する制御手段と
を備えることを特徴とする複合機。
【請求項７】
定着器を含むプリント手段によるプリント動作を必要とする機能および該プリント動作を不要とする機能を有する複合機の制御方法であって、
所定装置状態から立ち上げる機能が前記プリント動作を必要とする機能であるか否かを判定する判定工程と、
前記所定装置状態から立ち上げる機能が前記プリント動作を必要とする機能であると、前記プリント手段の前記定着器の加熱を開始するように制御する制御工程と
を備えることを特徴とする複合機の制御方法。
【請求項８】
定着器を含むプリント手段によるプリント動作を必要とする機能および該プリント動作を不要とする機能を有する複合機の制御方法であって、
機能を選択する機能選択工程と、
前記選択された機能が前記プリント動作を必要とする機能であるか否かを判定する判定工程と、
前記選択された機能が前記プリント動作を必要とする機能であると、前記プリント手段の前記定着器の加熱を開始するように制御する制御工程と
を備えることを特徴とする複合機の制御方法。
【請求項９】
定着器を含むプリント手段によるプリント動作を必要とする機能および該プリント動作を不要とする機能を有する複合機を制御するためのプログラムであって、
所定装置状態から立ち上げる機能が前記プリント動作を必要とする機能であるか否かを判定する判定モジュールと、
前記所定装置状態から立ち上げる機能が前記プリント動作を必要とする機能であると、前記プリント手段の前記定着器の加熱を開始するように制御する制御モジュールと
を備えることを特徴とするプログラム。
【請求項１０】
定着器を含むプリント手段によるプリント動作を必要とする機能および該プリント動作を不要とする機能を有する複合機を制御するためのプログラムであって、
機能を選択する機能選択モジュールと、
前記機能選択モジュールにより選択された機能が前記プリント動作を必要とする機能であるか否かを判定する判定モジュールと、
前記機能選択モジュールにより選択された機能が前記プリント動作を必要とする機能であると、前記プリント手段の前記定着器の加熱を開始するように制御する制御モジュールと
を備えることを特徴とするプログラム。
【請求項１１】
請求項９記載のプログラムをコンピュータ読取可能に格納したことを特徴とする記憶媒体。
【請求項１２】
請求項１０記載のプログラムをコンピュータ読取可能に格納したことを特徴とする記憶媒体。
【手続補正３】
【補正対象書類名】明細書
【補正対象項目名】０００１
【補正方法】変更
【補正の内容】
【０００１】
本発明は、定着器を備える複合機、複合機の制御方法、プログラムおよび記憶媒体に関する。
【手続補正４】
【補正対象書類名】明細書
【補正対象項目名】０００７
【補正方法】変更
【補正の内容】
【０００７】
本発明の目的は、ユーザにより使用環境に応じて定着器の加熱条件を容易に変更することができる複合機、複合機の制御方法、プログラムおよび記憶媒体を提供することにある。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】